(57)【要約】      （修正有）【課題】被検者の運転操作の技量や安全運転の能力を図ることができる運転技能評価システム、及び高齢者や障害者等向けに運転適性の能力や機能回復状態等を可視化する運転適性診断システムを提供する。【解決手段】自動車教習所の教習コースを走行する車両１を操作する被検者Ｍの運転技量を評価して運転技量評価データを生成する運転技量評価システム１０において、サーバの健康管理データ生成部は、被検者の健康状態に関する健康管理データを生成し、運転技能の評価結果に基づいて、被検者の健康状態の不良の改善を促すリハビリテーションのメニューを提案する。車両挙動取得部は、健康管理データが生成された後であって、かつ、被検者のリハビリテーション実施後に、新たに車両の挙動を取得する。車両操作量取得部は、新たに被検者の操作量を取得する。運転技能評価部は、新たに取得した車両の挙動及び操作量に基づいて運転技能を評価する。【選択図】図２
2020115364.tif 000002
【特許請求の範囲】
【請求項１】
車両の挙動を取得する車両挙動取得部と、
被検者の前記車両に対する操作量を取得する車両操作量取得部と、
前記車両の前記挙動及び前記操作量に基づいて前記被検者の運転技能を評価する運転技能評価部と、
前記運転技能の評価結果に基づいて前記被検者の健康状態に不良があるか否かを判定する健康不良判定部と、
前記判定結果を出力する出力部と、
前記健康不良判定部での判定結果に基づいて前記被検者の健康状態に関する健康管理データを生成する健康管理データ生成部と、
を備え、
前記健康管理データ生成部は、
前記運転技能の評価結果に基づいて、前記被検者の健康状態の不良の改善を促すリハビリテーションのメニューを提案し、
前記車両挙動取得部は、
前記健康管理データが生成された後であって、かつ、前記被検者のリハビリテーション実施後に、新たに前記車両の挙動を取得し、前記車両操作量取得部は、新たに前記被検者の前記操作量を取得し、
前記運転技能評価部は、
新たに取得した前記車両の前記挙動及び前記操作量に基づいて前記運転技能を評価する、
ことを特徴とする健康評価システム。
【請求項２】
前記健康管理データ生成部は、
前記健康不良判定部が前記被検者の健康状態に不良があると判定した場合に前記健康管理データを生成することを特徴とする請求項２に記載の健康評価システム。
【請求項３】
コンピュータに、
車両の挙動を取得するステップと、
被検者の前記車両に対する操作量を取得するステップと、
前記車両の前記挙動及び前記操作量に基づいて前記被検者の運転技能を評価するステップと、
前記運転技能の評価結果に基づいて前記被検者の健康状態に不良があるか否かを判定するステップと、
前記判定結果を出力するステップと、
前記健康不良判定部での判定結果に基づいて前記被検者の健康状態に関する健康管理データを生成するステップと、
前記被検者のリハビリテーション実施後に、新たに前記車両の挙動を取得し、新たに前記被検者の前記操作量を取得し、新たに取得した前記車両の前記挙動及び前記操作量に基づいて前記運転技能を評価するステップと、  
を実行させるためのプログラム。
【請求項４】
コンピュータが、
車両の挙動を取得するステップと、
被検者の前記車両に対する操作量を取得する車ステップと、
前記車両の前記挙動及び前記操作量に基づいて前記被検者の運転技能を評価するステップと、
前記運転技能の評価結果に基づいて前記被検者の健康状態に不良があるか否かを判定するステップと、
前記判定結果を出力するステップと、
前記健康不良判定部での判定結果に基づいて前記被検者の健康状態に関する健康管理データを生成するステップと、
前記被検者のリハビリテーション実施後に、新たに前記車両の挙動を取得し、新たに前記被検者の前記操作量を取得し、新たに取得した前記車両の前記挙動及び前記操作量に基づいて前記運転技能を評価するステップと、
を実行することを特徴とする健康評価方法。
【発明の詳細な説明】
【技術分野】
【０００１】
本発明は、運転技能評価システム、運転適性診断システム、特に、自動車教習所の場内あるいは路上における車両の走行状態や被検者の運転操作を含む行為を記録し、その運転技能を分析・評価する機能と高齢者や障害者等の安全運転に係る適性能力や身体（健康）の機能回復・改善等の状態を図るために被検者に取り付けた機器計測等の情報を含む運転走行の状況を記録し、その運転適性能力や身体的な機能回復・改善状況を分析・診断する機能の構成や手段・方法等に関する。
【背景技術】
【０００２】
ドライバの運転技量を評価する装置及び運転支援システムとして、例えば特許文献１には、望まれる運転技量がモデル化された運転モデルと、ドライバの操作に基づいて抽出された特定操作データと車両の状態量が比較されて算出される差分に応じて、ドライバの運転に係る技量を評価する装置とその運転支援システムが提案されている。
【０００３】
一方、特許文献１の運転支援システムは、評価対象とするドライバが公道で車両を操作することが前提となっていることから、ドライバとなる被検者が高齢であったり、病気等によりリハビリを受けていたりする場合には、公道において車両を操作して運転技量を評価することが困難であることが想定される。
【０００４】
このような対策として、特許文献２には、自動車教習所に設けられた教習コースにおいて、教官と車両を操作する被検者とが同乗し、この被検者の操作に基づいて運転技量を評価する装置と運転操作を支援するシステムが提案されている。
【先行技術文献】
【特許文献】
【０００５】
【特許文献１】特許第５８６７５２４号公報
【特許文献２】特許第６０８６５１５号公報
【発明の概要】
【発明が解決しようとする課題】
【０００６】
ところで、例えば特許文献２の運転技量評価装置において、加齢や病気等によって被検者の安全運転に係る身体的な適性能力や運転技量が低下していると診断されるような場合には、車両を誤操作する可能性もあることから、被検者の身体的な機能を含む運転能力の改善・回復が望まれるところである。
【０００７】
本発明は、上記事情に鑑みてなされたものであり、加齢や病気等によって運転に係る身体的な機能や運動能力、技量等が低下していると診断される場合に、被検者の被験者の運転に対する適性能力や身体の機能回復状態等の改善を図ることができる運転適性診断システムを提供することを課題とするものである。
【課題を解決するための手段】
【０００８】
上記課題を達成するための、本発明に係る運転技量評価システムは、自動車教習所の教習コースを走行する車両を操作する被検者の運転技量を評価して運転技量評価データを生成する運転技量評価システムにおいて、運転技量評価データに基づいて被検者の健康状態に不良があるか否かを判定する健康不良判定部と、健康不良判定部での判定結果に基づいて被検者の健康状態に関する健康管理データを生成する健康管理データ生成部と、を備えることを特徴としている。
【０００９】
しかも、この運転技量評価システムの健康管理データ生成部は、健康不良判定部が被検者の健康状態に不良があると判定した場合に健康管理データを生成することを特徴としている。
【００１０】
さらに、この運転技量評価システムの健康管理データは、被検者の健康状態の不良の改善を促すリハビリテーションのメニューが記録されることを特徴としている。
【００１１】
この運転技量評価システムによれば、車両の操作といった日常の活動によって生成された運転技量評価データに基づいて、健康不良判定部によって、被検者の健康状態に不良があるか否かを容易に判定することができる。
【００１２】
被検者の健康状態に不良があると判定した場合に、この判定結果に基づいて、健康管理データ生成部が被検者の健康状態に関する健康管理データを生成する。
【００１３】
この健康管理データには、被検者の健康状態の不良の改善を促すリハビリテーションのメニューが記録されることから、被検者は車両を操作して運転するという日常の活動を行うことによって、健康状態の不良の改善が促される。
【００１４】
一方、この運転技量評価システムの健康不良判定部は、健康管理データが生成された後に新たに生成された運転技量評価データに基づいて被検者の健康状態に不良があるか否かを判定し、健康管理データ生成部は、新たに生成された運転技量評価データに基づいて被検者の健康状態に不良があるか否かを判定した健康不良判定部での判定結果に基づいて健康管理データを修正して修正健康管理データを生成する、ことを特徴としている。
【００１５】
これによれば、健康管理データが生成された後に、新たな運転技量評価データが生成されると、健康不良判定部は、新たな運転技量評価データに基づいて被検者の健康状態に不良があるか否かを判定する。
【００１６】
したがって、直近の車両の操作という日常活動に基づいて、直近の健康状態に不良があるか否かを簡易かつ適切に判定することができる。
【００１７】
しかも、この判定結果に基づいて、健康管理データ生成部が健康管理データを修正して修正健康管理データを生成することから、直近の健康状態に基づいた適切な修正健康管理データを生成することができる。
【００１８】
上記課題を達成するための、本発明に係るプログラムは、自動車教習所の教習コースを走行する車両を操作する被検者の運転技量を評価して運転技量評価データを生成する運転技量評価システムに格納される運転寿命延伸プログラムであって、運転技量評価データに基づいて被検者の健康状態に不良があるか否かを判定する健康不良判定部と、健康不良判定部での判定結果に基づいて被検者の健康状態に関する健康管理データを生成する健康管理データ生成部と、を備えるものである。
【００１９】
上記課題を達成するための、本発明に係る運転技量評価方法は、自動車教習所の教習コースを走行する車両を操作する被検者の運転技量を評価して運転技量評価データを生成する運転技量評価システムを用いた運転技量評価方法において、運転技量評価データに基づいて被検者の健康状態に不良があるか否かを判定する健康不良判定工程と、健康不良判定工程での判定結果に基づいて被検者の健康状態に関する健康管理データを生成する健康管理データ生成工程と、を備えることを特徴としている。
【発明の効果】
【００２０】
この発明によれば、被検者は、車両を操作して運転するという日常の活動を行うことによって、健康状態の不良の改善が促される。
【図面の簡単な説明】
【００２１】
【図１】本発明の実施の形態に係る運転技量評価システムが配備される自動車教習所の教習コースの概略を説明する図である。
【図２】同じく、本実施の形態に係る運転技量評価システムの構成の概略を説明する図である。
【図３】同じく、本実施の形態に係る運転技量評価システムで用いられる被検者の個人情報及び教官の教習指導員情報の概略を説明する図である。
【図４】同じく、本実施の形態に係る運転技量評価システムで用いられる個人定期計測情報の概略を説明する図である。
【図５】同じく、本実施の形態に係る運転技量評価システムで用いられる高齢者講習情報の概略を説明する図である。
【図６】同じく、本実施の形態に係る運転技量評価システムで生成される操作記録情報の概略を説明する図である。
【図７】同じく、本実施の形態に係る運転技量評価システムで生成される運転技量評価データの概略を説明する図である。
【図８】同じく、本実施の形態に係る運転技量評価システムのサーバの構成の概略を説明する図である。
【図９】同じく、本実施の形態に係る運転技量評価システムの運転寿命延伸プログラムの構成の概略を説明する図である。
【図１０】同じく、本実施の形態に係る運転技量評価システムで生成される健康管理データの概略を説明する図である。
【図１１】同じく、本実施の形態に係る運転技量評価システムの運用方法の概略を説明するフローチャートである。
【図１２】同じく、本実施の形態に係る運転技量評価システムで生成される運転技量評価データ及び健康管理データの概略を説明する図である。
【図１３】同じく、本実施の形態に係る運転技量評価システムで生成される新たな運転技量評価データ及び修正健康管理データの概略を説明する図である。
【発明を実施するための形態】
【００２２】
次に、図１〜図１３に基づいて、本発明の実施の形態に係る運転技量評価システムについて説明する。
【００２３】
本実施の形態に係る運転技量評価システムの説明に先立って、運転技量評価システムが配備される自動車教習所の教習コースの概略を説明する。
【００２４】
図１は、教習コースの概略を説明する図である。図示のように、教習コースＣは、走行予定コースＣ１が設定され、Ｓ字カーブＳＣ、車庫入れＳ１、クランクＣＬを含んで構成される。
【００２５】
続いて、本実施の形態に係る運転技量評価システムの概略を説明する。
【００２６】
図２は、本実施の形態に係る運転技量評価システムの構成の概略を説明する図である。図示のように、運転技量評価システム１０は、四輪の車両１に搭載される運転技量評価装置２０、被検者Ｍとともに車両１に搭乗する教官が所持する教官用携帯端末装置３０、及びサーバ４０を備える。
【００２７】
運転技量評価装置２０は、本実施の形態では、車両１の挙動を検出する車両挙動検出群２１、被検者Ｍの車両１に対する操作量を検出する車両操作量検出群２２、被検者Ｍの姿勢や関節の動作を検出する姿勢・関節動作検出群２３、車両１の位置情報を検出するＧＰＳ受信部２４、及び運転技量評価装置２０を制御する制御部２５を主要構成として備える。
【００２８】
この制御部２５には、本実施の形態では、表示部２６、操作部２７及び記憶部２８が接続される。
【００２９】
車両挙動検出群２１は、本実施の形態では、車速度検出部２１ａ、加速度検出部２１ｂ、及び角速度検出部２１ｃを主要構成として備える。
【００３０】
車速度検出部２１ａは、車両１の速度に応じた車速度データを出力し、加速度検出部２１ｂは、車両１の加速度に応じた加速度データを出力し、かつ角速度検出部２１ｃは、例えば鉛直方向１軸の周りの角速度（ヨーレート）に応じた角速度を出力する。
【００３１】
車両操作量検出群２２は、本実施の形態では、アクセルペダル踏み角検出部２２ａ、ブレーキペダル踏み角検出部２２ｂ、及び操舵角検出部２２ｃを主要構成として備える。
【００３２】
アクセルペダル踏み角検出部２２ａは、アクセルペダルの踏み込み角度を検出して対応するアクセルペダル踏み角データを出力し、ブレーキペダル踏み角検出部２２ｂは、ブレーキペダルの踏み込み角度を検出して対応するブレーキペダル踏み角データを出力する。
【００３３】
これらアクセルペダル及びブレーキペダルの踏み角は、本実施の形態では、例えばペダルを踏み込んでいない場合に０°に設定されており、ペダルの踏み込み量に応じて踏み角が増大する。
【００３４】
操舵角検出部２２ｃは、本実施の形態では、ステアリングの操作量に応じた操舵角を出力する。
【００３５】
姿勢・関節動作検出群２３は、本実施の形態では、視野計２３ａを主要構成として備える。この視野計２３ａは、被検者Ｍの視線の動作を計測し、この計測結果に応じた視野データを出力する。
【００３６】
この視野計２３ａの他に、姿勢・関節動作検出群２３には例えば、関節の動作に応じたデータを出力する筋電位測定器が装備される。
【００３７】
この姿勢・関節動作検出群２３は、本実施の形態では、被検者Ｍに装着されて姿勢、視線の動作、さらには関節の動作を検知するウェアラブルデバイスによって実装される。
【００３８】
ＧＰＳ受信部２４は、本実施の形態では、教習コースＣ上の車両１の位置情報を検出するものであり、車両１が走行予定コースＣ１に沿って走行しているか否かが検出される。
【００３９】
制御部２５は、本実施の形態では、運転技量評価データを生成する。この運転技量評価データは、制御部２５に接続される操作部２７から入力される被検者Ｍの個人情報、教官の教習指導員情報、個人定期計測情報及び高齢者講習情報と、車両挙動検出群２１や車両操作量検出群２２等で検出されたデータに基づいて生成される操作記録情報及び後述する教官用携帯端末装置３０に入力される情報とが、後述する評価項目データと対比されることによって生成される。
【００４０】
図３は、被検者Ｍの個人情報及び教官の教習指導員情報の概略を説明する図である。図示のように、個人情報は、被検者Ｍの氏名や住所といった基本情報、被検者Ｍの運転免許証情報、被検者Ｍの身長や体重といった身体情報等によって構成される。
【００４１】
一方、教習指導員情報は、教官の氏名や生年月日、教習指導員歴といった各種の情報で構成される。
【００４２】
図４は、個人定期計測情報の概略を説明する図である。図示のように、個人定期計測情報は、被検者Ｍのバイタルチェックに関する情報や、被検者Ｍのリハビリや治療に関する情報等によって構成される。
【００４３】
図５は、高齢者講習情報の概略を説明する図である。図示のように、高齢者講習情報は、被検者Ｍの認知機能検査、運転頻度等問診票、７５歳以上講習等に関する情報によって構成される。
【００４４】
図６は、操作記録情報の概略を説明する図である。図示のように、操作記録情報は、教習コースＣに関する試験・検査コース情報、車両１に関する試験・検査車両情報、さらに車両挙動検出群２１や車両操作量検出群２２等で検出された車両挙動情報や運転者操作情報によって構成される走行記録情報等の情報によって構成される。
【００４５】
図７は、運転技量評価データの概略を説明する図である。上記のように、運転技量評価データＤ１は、操作部２７から入力される被検者Ｍの個人情報等と、車両挙動検出群２１等で検出されたデータに基づいて生成される操作記録情報及び教官用携帯端末装置３０に入力される情報とが、評価項目データと対比されることによって生成される。
【００４６】
この運転技量評価データＤ１には、図示のように、「一時停止不備」、「走行軌跡のずれ」、あるいは「合図不履行」といった被検者Ｍの車両１の操作が評価結果として記録され、被検者Ｍの車両１の操作が「トータルスコア」として点数化されて記録される。
【００４７】
図２で示すように、表示部２６は、各種の情報が表示されるディスプレイであって、本実施の形態では例えば、生成された運転技量評価データＤ１が表示される。
【００４８】
操作部２７は、制御部に入力される各種の情報を入力するインターフェースであって、本実施の形態では、上記のように、被検者Ｍの個人情報、教官の教習指導員情報等が入力される。
【００４９】
記憶部２８は、制御部２５が収集した、あるいは制御部２５に入力された各種のデータが格納されるとともに、本実施の形態では、評価項目データＤ２が格納される。
【００５０】
この評価項目データＤ２は、教習コースにおいて実施された模範的な運転の際に検出した挙動や車両１に対する操作量、さらには各種のデータ（車両１の位置情報や被検者Ｍの動作に関する情報）を時系列で相互に対応づけたデータである。
【００５１】
教官用携帯端末装置３０は、本実施の形態では、無線通信機能を有する携帯型情報端末によって構成される。
【００５２】
この教官用携帯端末装置３０では、運転技量評価装置２０で評価できない評価項目（例えば、バックミラーでの周囲の確認のタイミングや方向指示を出すタイミング等）に関する評価が情報として入力されて、入力された情報が運転技量評価装置２０やサーバ４０に送信される。
【００５３】
図８は、サーバ４０の概略を説明する図である。図示のように、サーバ４０は、プロセッサ４１、メモリ４２、ストレージ４３、送受信部４４、及び入出力部４５を主要構成として備え、これらが互いにバス４６を介して電気的に接続される。
【００５４】
プロセッサ４１は、サーバ４０の動作を制御し、各要素間におけるデータの送受信の制御や、アプリケーションプログラムの実行に必要な処理等を行う演算装置である。
【００５５】
このプロセッサ４１は、本実施の形態では例えばＣＰＵ（Ｃｅｎｔｒａｌ  Ｐｒｏｃｅｓｓｉｎｇ  Ｕｎｉｔ）であり、後述するストレージ４３に格納されてメモリ４２に展開されたアプリケーションプログラムを実行して各処理を行う。
【００５６】
メモリ４２は、ＤＲＡＭ（Ｄｙｎａｍｉｃ  Ｒａｎｄｏｍ  Ａｃｃｅｓｓ  Ｍｅｍｏｒｙ）等の揮発性記憶装置で構成される主記憶装置、及びフラッシュメモリやＨＤＤ（Ｈａｒｄ  Ｄｉｓｃ  Ｄｒｉｖｅ）等の不揮発性記憶装置で構成される補助記憶装置を備える。
【００５７】
このメモリ４２は、プロセッサ４１の作業領域として使用される一方、サーバ４０の起動時に実行されるＢＩＯＳ（Ｂａｓｉｃ  Ｉｎｐｕｔ／Ｏｕｔｐｕｔ  Ｓｙｓｔｅｍ）、及び各種の設定情報等が格納される。
【００５８】
ストレージ４３には、アプリケーションプログラムや各種の処理に用いられるデータ等が格納されており、本実施の形態では、運転寿命延伸プログラム４３Ａが格納されている。
【００５９】
図９は、運転寿命延伸プログラム４３Ａの構成の概略を説明する図である。運転寿命延伸プログラム４３Ａは、本実施の形態では、人工知能プログラムによって実装されており、図示のように、健康不良判定部４３ａ及び健康管理データ生成部４３ｂを備える。
【００６０】
健康不良判定部４３ａは、運転技量評価装置２０で生成された運転技量評価データＤ１に基づいて、被検者Ｍの健康状態に不良があるか否かを判定する。
【００６１】
例えば、図７で示した被検者Ｍの運転技量評価データＤ１では、「走行軌跡のずれ」があると評価されていることから、ハンドルの操作に必要な腕力が低下しているとして、健康状態に不良があると判定する。
【００６２】
さらに例えば、図７の運転技量評価データＤ１では、「合図不履行」があると評価されていることから、集中力が低下しているとして、健康状態に不良があると判定する。
【００６３】
健康管理データ生成部４３ｂは、健康不良判定部４３ａが被検者Ｍの健康状態に不良があると判定した場合に、健康管理データを生成する。
【００６４】
図１０は、健康管理データの概略を説明する図である。図示のように、健康管理データＤ３は、被検者Ｍの健康状態の不良の状況に基づいて、健康状態の不良の改善を促すリハビリテーションのメニューが記録される。
【００６５】
この健康管理データＤ３は、本実施の形態では、例えば「高次脳機能障害向けリハビリ」、「認知症障害向けリハビリ」、「視覚障害向けリハビリ」、「聴覚障害向けリハビリ」及び「運動機能障害向けリハビリ」といったメニューを備える。
【００６６】
例えば、健康不良判定部４３ａで、腕力が低下しているとして健康状態に不良があると判定した場合には、「運動機能障害向けリハビリ」として腕力の改善を図るメニュー（例えば腕立て伏せを１日に２０回等）が提案される。
【００６７】
さらに例えば、健康不良判定部４３ａで、集中力が低下しているとして健康状態に不良があると判定した場合には、「認知症障害向けリハビリ」として集中力の改善を図るメニュー（例えば指先を使う運動）が提案される。
【００６８】
一方、健康管理データＤ３が生成された後に、運転技量評価データＤ１が新たに生成された場合には、健康不良判定部４３ａは、この新たに生成された運転技量評価データに基づいて、被検者Ｍの健康状態に不良があるか否かを判定する。
【００６９】
健康管理データ生成部４３ｂは、健康不良判定部４３ａが、新たに生成された運転技量評価データに基づいて被検者Ｍの健康状態に不良があると判定した場合に、健康管理データＤ３を修正して、修正健康管理データを生成する。
【００７０】
図８で示すように、送受信部４４は、サーバ４０をネットワークに接続する。
【００７１】
この送受信部４４は、Ｂｌｕｅｔｏｏｔｈ（登録商標）やＢＬＥ（Ｂｌｕｅｔｏｏｔｈ  Ｌｏｗ  Ｅｎｅｒｇｙ）といった近距離通信インターフェースを具備するものであってもよい。
【００７２】
入出力部４５には、必要に応じて、キーボードやマウスといった情報入力機器やディスプレイ等の出力機器が接続される。
【００７３】
バス４６は、接続したプロセッサ４１、メモリ４２、ストレージ４３、送受信部４４及び入出力部４５の間において、例えばアドレス信号、データ信号及び各種の制御信号を伝達する。
【００７４】
次に、運転技量評価システム１０の運用方法について、運転技量評価システム１０の運用方法の概略を説明する図１１のフローチャートに基づいて説明する。
【００７５】
まず、被検者Ｍの個人情報、教官の教習指導員情報、個人定期計測情報及び高齢者講習情報が、運転技量評価装置２０の制御部２５に操作部２６を介して入力される。
【００７６】
その後、図示のように、ステップＳ１において、被検者Ｍが教官とともに車両１に搭乗し、車両１を操作して、教習コースＣ上を走行予定コースＣ１に沿って運転する。
【００７７】
車両１の操作によって、車両挙動検出群２１や車両操作量検出群２２等で各種のデータが検出され、このデータに基づいて操作記録情報が生成される。
【００７８】
一方、教官は、被検者Ｍの車両１の操作に関して、運転技量評価装置２０で評価できない評価項目に関する評価を、教官用携帯端末装置３０に情報として入力する。
【００７９】
これらの操作記録情報、教官用携帯端末装置３０に入力された情報、及び制御部２５に予め入力された個人情報等が、評価項目データＤ２と対比されて、ステップＳ２において、運転技量評価装置２０によって運転技量評価データＤ１が生成される。
【００８０】
図１２（ａ）は、生成された運転技量評価データＤ１の概略を説明する図である。図示のように、本実施の形態の運転技量評価データＤ１では、「一時停止不備：−５」、「走行軌跡のずれ：−１０」及び「合図不履行：−１０」等があったと評価され、「トータルスコア」が「−５９０」であると評価されている。
【００８１】
運転技量評価データＤ１が生成されると、サーバ４０に格納された運転寿命延伸プログラム４３Ａの健康不良判定部４３ａが、運転技量評価データＤ１に基づいて、被検者Ｍの健康状態に不良があるか否かを判定する。
【００８２】
本実施の形態では、運転技量評価データＤ１において、「一時停止不備：−５」、「走行軌跡のずれ：−１０」及び「合図不履行：−１０」等があったと評価されていることから、「走行軌跡のずれ：−１０」について、ハンドルの操作に必要な腕力が低下しているとして健康状態に不良があると判定し、「合図不履行：−１０」について、集中力が低下しているとして健康状態に不良があると判定する。
【００８３】
健康不良判定部４３ａが被検者Ｍの健康状態に不良があると判定した場合は、ステップＳ３において、運転寿命延伸プログラム４３Ａの健康管理データ生成部４３ｂが、健康管理データＤ３を生成する。
【００８４】
図１２（ｂ）は、健康管理データＤ３の概略を説明する図である。図示のように、本実施の形態の健康管理データＤ３では、健康不良判定部４３ａで腕力が低下しているとして健康状態に不良があると判定していることから、「運動機能障害向けリハビリ」として腕力の改善を図るメニュー（例えば腕立て伏せを１日に２０回等）が提案されている。
【００８５】
同様に、健康不良判定部４３ａで集中力が低下しているとして健康状態に不良があると判定していることから、「認知症障害向けリハビリ」として集中力の改善を図るメニュー（例えば指先を使う運動）が提案されている。
【００８６】
健康管理データＤ３が生成された後、図１１で示すように、ステップＳ４において、被検者Ｍは、健康管理データＤ３で提示されたリハビリテーションのメニューに基づいて、メニューを実践する。
【００８７】
メニューを実践してしかる後、ステップＳ５において、被検者Ｍが教官とともに車両１に搭乗し、車両１を操作して、教習コースＣ上を走行予定コースＣ１に沿って、再度運転する。
【００８８】
この再度の運転に基づいて、ステップＳ６において、運転技量評価装置２０によって新たな運転技量評価データが生成される。
【００８９】
図１３（ａ）は、生成された新たな運転技量評価データＤ１αの概略を説明する図である。図示のように、本実施の形態の新たな運転技量評価データＤ１αでは、「一時停止不備：−５」及び「合図不履行：−１０」等があったと評価され、「トータルスコア」が「−５３０」であると評価されている。
【００９０】
すなわち、ステップＳ４におけるメニューの実践によって、「走行軌跡のずれ：−１０」が解消されたと評価され、「トータルスコア」が「−５９０」から「−５３０」に改善したと評価されている。
【００９１】
新たな運転技量評価データＤ１αが生成されると、図１１で示すように、ステップＳ７において、サーバ４０に格納された運転寿命延伸プログラム４３Ａの健康不良判定部４３ａが、新たな運転技量評価データＤ１αに基づいて、被検者Ｍの健康状態に不良があるか否か、すなわち被検者Ｍの健康状態が改善しているか否かを判定する。
【００９２】
新たな運転技量評価データＤ１αにおいて、「一時停止不備」、「走行軌跡のずれ」あるいは「合図不履行」といった指摘がなされない評価結果の場合は、健康不良判定部４３ａは、被検者Ｍの健康状態が改善していると判定する。
【００９３】
一方、本実施の形態では、新たな運転技量評価データＤ１αにおいて、「走行軌跡のずれ：−１０」については解消されたものの、依然として「合図不履行：−１０」等があったと評価されていることから、ステップＳ７において、集中力が低下しているとして健康状態に不良があると判定する。
【００９４】
健康不良判定部４３ａが被検者Ｍの健康状態に不良があると判定した場合は、ステップＳ８において、運転寿命延伸プログラム４３Ａの健康管理データ生成部４３ｂが、修正健康管理データＤ３αを生成する。
【００９５】
図１３（ｂ）は、修正健康管理データＤ３αの概略を説明する図である。図示のように、本実施の形態の修正健康管理データＤ３αでは、健康不良判定部４３ａで集中力が低下しているとして健康状態に不良があると判定していることから、「認知症障害向けリハビリ」として集中力の改善を図るメニュー（例えば指先を使う運動）が再度、提案されている。
【００９６】
修正健康管理データＤ３αが生成された後、図１１で示すように、ステップＳ４において、被検者Ｍは、修正健康管理データＤ３αで提示されたリハビリテーションのメニューに基づいて、メニューを実践する。
【００９７】
このように、本実施の形態の運転技量評価システム１０によれば、車両１の操作といった日常の活動によって生成された運転技量評価データＤ１に基づいて、運転寿命延伸プログラム４３Ａの健康不良判定部４３ａによって、被検者Ｍの健康状態に不良があるか否かを容易に判定することができる。
【００９８】
本実施の形態では、被検者Ｍの健康状態に不良があると判定した場合に、この判定結果に基づいて、運転寿命延伸プログラム４３Ａの健康管理データ生成部４３ｂが被検者Ｍの健康状態に関する健康管理データＤ３を生成する。
【００９９】
この健康管理データＤ３には、被検者Ｍの健康状態の不良の改善を促すリハビリテーションのメニューが記録されることから、被検者Ｍは車両１を操作して運転するという日常の活動を行うことによって、健康状態の不良の改善が促される。
【０１００】
さらに、本実施の形態では、健康管理データＤ３が生成された後に、新たな運転技量評価データＤ１αが生成されると、健康不良判定部４３ａは、この新たな運転技量評価データＤ１αに基づいて検者Ｍの健康状態に不良があるか否かを判定する。
【０１０１】
したがって、車両１の操作という直近の日常活動に基づいて、直近の健康状態に不良があるか否かを簡易かつ適切に判定することができる。
【０１０２】
しかも、この判定結果に基づいて、健康管理データ生成部４３ｂが健康管理データＤ３を修正して修正健康管理データＤ３αを生成することから、直近の健康状態に基づいた適切な修正健康管理データＤ３αを生成することができる。
【０１０３】
なお、本発明は上記実施の形態に限定されることはなく、発明の趣旨を逸脱しない範囲で種々変更可能である。上記実施の形態では、車両１が四輪である場合を説明したが、二輪あるいは三輪であってもよい。
【０１０４】
上記実施の形態では、姿勢・関節動作検出群２３が、被検者Ｍに装着されるウェアラブルデバイスで実装される場合を説明したが、例えば、被検者Ｍの身体に装着され、あるいは車両１の座席に装着されて、被検者Ｍの姿勢、視線の動作、さらには関節の動作を検知するセンサによって実装されるものであってもよい。
【０１０５】
本発明は、以下のような構成としてもよい。
運転技能評価システムは、自動車教習所の場内あるいは路上（公道）における走行コース毎の順路やコース内の採点（評価）項目を管理する走行コース管理部と被検者が運転する走行コース上における車両の走行状態と運転中の操作・行為等を記録・収集する運転走行記録部、更にその記録されたデータを警察庁が通達する「運転免許技能試験に係る採点基準の運用の標準」に準拠し、運転免許の取得や更新等に必要な安全運転に係る技能等を分析・評価する運転技能判定部、ならびにその評価結果を可視化（表示）し、確認できる運転評価結果表示部の４つで構成する。
また、運転適性診断システムは、被験者の個人属性、身体（病気・障害等）や運転歴等に関する情報等を含む個人情報、あるいは被験者に対する机上検査等を通じて収集した情報を元に、被検者に最も適切な試験・検査コースや機能回復・改善等を図るためのコースを判別する最適コース判別部、自動車教習所の場内におけるそのコースを運転する際に、被験者に取り付けた機器等からの運動や生体の状態等を計測し、記録する運動生体計測記録部、また記録された運動や生体等の情報に基づいて被験者の運転に対する適性能力や身体の機能回復状態等を解析・診断する運転適性診断判定部、ならびにその診断結果を可視化（表示）し、確認できる運転適性診断結果表示部の４つで構成する。
【符号の説明】
【０１０６】
１    車両
１０    運転技量評価システム
２０    運転技量評価装置
２１    車両挙動検出群
２２    車両操作量検出群
２５    制御部
２８    記憶部
３０    教官用携帯端末装置
４０    サーバ
４３Ａ    運転寿命延伸プログラム
４３ａ    健康不良判定部
４３ｂ    健康管理データ生成部
Ｄ１    運転技量評価データ
Ｄ１α  新たな運転技量評価データ
Ｄ２    評価項目データ
Ｄ３    健康管理データ
Ｄ３α  修正健康管理データ
Ｍ    被検者
【図１】
2020115364.tif 000003
【図２】
2020115364.tif 000004
【図３】
2020115364.tif 000005
【図４】
2020115364.tif 000006
【図５】
2020115364.tif 000007
【図６】
2020115364.tif 000008
【図７】
2020115364.tif 000009
【図８】
2020115364.tif 000010
【図９】
2020115364.tif 000011
【図１０】
2020115364.tif 000012
【図１１】
2020115364.tif 000013
【図１２】
2020115364.tif 000014
【図１３】
2020115364.tif 000015